(57)【要約】【課題】膝を曲げる間に拘束される可能性の低い信頼性の高い膝装具を提供する。【解決手段】膝装具は、前弓支持（２８）と、内側支持（２０）と、内側ヒンジ（２６）と、ヒンジ要素（１６０）と、を備える。内側支持は、前弓支持から延在する。内側ヒンジは、前弓支持の遠位の内側支持に取り付けられる。ヒンジ要素は、内側支持の近位の前弓支持に一体化される。ヒンジ要素は、内側ヒンジの回転軸に略垂直であり、かつ、内側ヒンジを貫通する内側支持上の非屈曲中立軸に略平行である回転軸を有する。【選択図】図２３Ｂ
2019058796.tif 000002
【特許請求の範囲】
【請求項１】
前弓支持（２８）と、
前記前弓支持から延在する内側支持（２０）と、
前記前弓支持の遠位の前記内側支持に取り付けられる内側ヒンジ（２６）と、
前記内側支持の近位の前記前弓支持に一体化されるヒンジ要素（１６０）と、
を備え、
前記ヒンジ要素が、前記内側ヒンジの回転軸に略垂直であり、かつ、前記内側ヒンジを貫通する前記内側支持上の非屈曲中立軸に略平行である回転軸を有する、
膝装具。
【請求項２】
前記ヒンジ要素（１６０）は、可撓性を有し、脚および装具が非屈曲である中立位置から屈曲位置まで最大６°の前記内側支持（２０）の中央内側への角度オフセットが可能である、請求項１に記載の膝装具。
【請求項３】
前記ヒンジ要素（１６０）は、厚み低減部（１６６）と、前記前弓支持（２８）に係合する取付部分（１６８）と、を有するリビングヒンジであり、前記厚み低減部は、前記取付部分より柔軟性が高い、請求項１に記載の膝装具。
【請求項４】
前記内側支持と側方支持との間で延在する少なくとも１つのシンチングシステムをさらに備える、請求項１に記載の膝装具。
【請求項５】
前記少なくとも１つのシンチングシステムが、
前記側方支持に取り付けられて、回転軸のまわりで第１の方向に回転可能なノブ（５０）と、
前記第１の方向への前記ノブによる回転のために前記ノブに相互連結される係合要素と、
前記係合要素によって回転可能な歯車組立体（６２）と、
回転のために前記歯車組立体に係合し、前記ノブの前記回転軸に直交して配置される軸（６０）と、
前記歯車組立体による前記軸の回転時に、前記軸から伸長可能かつ前記軸に格納可能であるストラップ（３８）と、
を有する、請求項４に記載の膝装具。
【請求項６】
前記係合要素が、
前記ノブに従属する第１の歯リング（２１２）と、
持ち上げられた位置と押し下げられた位置との間で位置決め可能で、前記第１の歯リングと係合する第２の歯リング（２０８）であって、歯セットを有する第２の歯リング（２０８）と、
前記第２の歯リングが前記持ち上げられた位置にある時に前記第２の歯リングの前記歯セットと係合し、かつ、前記第２の歯リングが前記押し下げられた位置にある時に前記第２の歯リングから解放される、前記歯車組立体に動作可能に取り付けられる第３の歯リング（２１８）と、
を備える、請求項５に記載の膝装具。
【請求項７】
前記ノブから延在するラチェットリング（２０２）を係合する少なくとも１つのラチェ
ット爪（２０４ａ）をさらに備え、前記少なくとも１つのラチェット爪による前記ラチェ
ットリングの係合が前記第１の方向の反対の方向への回転を防止する、請求項６に記載の膝装具。
【請求項８】
前記押し下げられた位置で前記第２の歯リングと係合する弾性保持要素（２２２）と、
前記第２の歯リングに係合し、前記ノブの前記第１の方向への回転時に、前記第２の歯
リングを付勢して、前記弾性保持要素から前記持ち上げられた位置に解放するランプ（２
２４）と、
をさらに備える、請求項７に記載の膝装具。
【請求項９】
前記ストラップの引込みのために前記軸上に保持されるコイルばね（６６）をさらに備
える、請求項８に記載の膝装具。
【発明の詳細な説明】
【技術分野】
【０００１】
関連出願の参照
本出願は、２０１３年７月３０日に出願されたＯＲＴＨＯＰＥＤＩＣ  ＢＲＡＣＥ  ＳＥＣＵＲＩＮＧ  ＡＮＤ  ＴＥＮＳＩＯＮＩＮＧ  ＳＹＳＴＥＭという名称の、本出願と共通の譲受人を有する米国仮特許出願第６１８６０２１５号明細書の優先権を主張し、その開示は本明細書に組み込まれる。
【０００２】
本開示の実施形態は概して、解剖学的な支持装具の分野に関するものであり、より詳細には、膝装具に関する。また、本開示の他の実施形態は、任意選択可能なばね付勢されたストラップの引込み、ストラップの急速解放、および方向調整を有する、膝装具を含む整形装具のための固定およびラチェット式張力付与を含む張力付与のためのシステムに関するものである。
【背景技術】
【０００３】
従来の膝装具では、膝を曲げる間に拘束されるおそれがある。
【発明の概要】
【発明が解決しようとする課題】
【０００４】
したがって、膝を曲げる間に拘束される可能性を低減可能な膝装具が求められている。
【課題を解決するための手段】
【０００５】
本開示の膝装具は、前弓支持と、内側支持と、内側ヒンジと、ヒンジ要素と、を備える。内側支持は、前弓支持から延在する。内側ヒンジは、前弓支持の遠位の内側支持に取り付けられる。前記ヒンジ要素は、内側支持の近位の前弓支持に一体化される。ヒンジ要素は、内側ヒンジの回転軸に略垂直であり、かつ、内側ヒンジを貫通する内側支持上の非屈曲中立軸に略平行である回転軸を有する。
【０００６】
論じられる特徴、機能、および利点は、本開示のさまざまな実施形態において独立して
実現することができ、または、詳細を以下の説明および図面に関して参照することができ
るさらに他の実施形態において、組み合わせることができる。
【図面の簡単な説明】
【０００７】
【図１】本実施形態を使用することができる例示的な整形膝装具の実施形態の側面等角図である。
【図２Ａ−２Ｂ】上部取付組立体の側面等角図および内側等角図である。
【図３Ａ−３Ｂ】シンチングシステム組立体の第１の実施形態の下向き組立分解等角図および上向き組立分解等角図である。
【図３Ｃ】第１の実施形態の側断面図である。
【図４Ａ】非係合位置におけるシンチングシステム組立体のシンチング板の上面図である。
【図４Ｂ】係合位置におけるシンチングシステム組立体のシンチング板の上面図である。
【図５Ａ】非係合位置におけるシンチングシステム組立体のラチェットアームの上面図である。
【図５Ｂ】係合位置におけるシンチングシステム組立体のラチェットアームの上面図である。
【図６】歯車組立体、軸、およびコイルばねを有するシンチングシステム組立体の本体底部の上面等角詳細図である。
【図７】シンチングシステム組立体の底面等角詳細図である。
【図８】シンチングシステム組立体の第２の実施形態の組立分解等角図である。
【図９Ａ】回転歯が係合した図８の実施形態の側断面図である。
【図９Ｂ】回転歯が係合していない図８の実施形態の側断面図である。
【図１０】シンチングシステム組立体の第３の実施形態の組立分解等角図である。
【図１１】回転歯が係合した図１０の実施形態の側断面図である。
【図１２】急速脱着組立体の組立分解等角図である。
【図１３】ストラップ先端が連結されていない急速脱着組立体の等角図である。
【図１４】解放ボタンおよびストラップ先端上で弾性的に押圧可能な舌部の詳細を示す等角部分断面図である。
【図１５】ネックから延在するＤ−リングを使用するストラップ先端の第２の実施形態の等角図である。
【図１６】単一点張力付与システムの等角図である。
【図１７】単一点張力付与システムの上面図である。
【図１８】単一点張力付与システムの側面図である。
【図１９】浮動アームの等角図である。
【図２０Ａ】明瞭さのために浮動アームラチェット解放ループのない、非係合位置におけるラチェットおよびラチェットストップの等角図である。
【図２０Ｂ】明瞭さのために浮動アームラチェット解放ループのない、係合位置のラチェットおよびラチェットストップの等角図である。
【図２０Ｃ】ラチェット解放ループが示された等角図である。
【図２１Ａ】第１の位置に浮動アームを制止するように係合される中央ピボットレバーアームのブルノーズ挿入前の等角詳細図である。
【図２１Ｂ】浮動アームが第２の位置に解放されたブルノーズ挿入後の中央ピボットレバーアームの等角詳細図である。
【図２２】図１Ａおよび２Ｂの側方調整ヒンジのためのリビングヒンジ実施形態の実施形態の等角詳細図である。
【図２３Ａ−２３Ｂ】側方調整ヒンジの向きおよび動作を示す膝装具の簡素化された正面図および側面図である。
【発明を実施するための形態】
【０００８】
本明細書に開示される実施形態は、ラチェット式張力付与要素および急速解放取付具を
組み込む整形装具にストラップ調整システムを提供する。ストラップのばね付勢引込みが
、未使用時にストラップがもつれてねじれることを防止する便利な保管のために選択的に
行われる。固定されるとき、急速解放取付具のストラップ係合機能が、ストラップをある
角度で方向調整する。図１に示されるように、例示的な整形膝装具１０は、患者の大腿で
受けられる上部取付組立体１２と、患者の下脚で受けられる下部取付組立体１４とから構
成される。各取付組立体（上部取付組立体については図２Ａおよび２Ｂに詳細に示される
）は、側方支持１６、１８、および内側支持２０、２２を実装する。ヒンジ２４および２
６は、上部および下部取付組立体の側方および内側支持をそれぞれ相互に連結する。各取
付組立体は、前弓支持２８、３０を含む。
【０００９】
図１（右脚装具について）、さらに図２Ａおよび２Ｂ（いずれかの脚の実施形態の使用
を示す左脚装具について）において示されるように、例示的実施形態の上部取付組立体１
２は、大腿の後方まわりで上部取付組立体の側面の前弓支持２８に隣接する上部シンチン
グシステム組立体３４から、前方支持に隣接する、上部取付組立体の内側の急速解放取付
組立体３６まで伸長する上部後方ストラップ３２を使用する。同様に、下部後方ストラッ
プ３８は、後方大腿まわりで側方支持要素１６上の側方ヒンジ２４に隣接する下部シンチ
ングシステム組立体４０から、内側ヒンジ２６に隣接する、内側支持要素２０上の下部急
速解放取付組立体４２まで伸長する。
【００１０】
図１に示されるように、下部取付組立体１４は、ふくらはぎの後方のまわりで下部取付
組立体の側面の前弓支持３０に隣接する底部シンチングシステム組立体４６から、前方支
持に隣接する、下部取付組立体の内側の急速解放取付組立体４８まで伸長する底部後方ス
トラップ４４を有する。
【００１１】
シンチングシステム組立体３４、４０、および４６は、例示的な実施形態では同一であ
り、図３Ａ〜８で詳細に示される。図３Ａおよび３Ｂで最もよく分かるように、各シンチ
ングシステム組立体は、使用者が回転させるノブ５０を組み込み、後により詳細に記載さ
れるように、関連するストラップに張力をかける、またはストラップを格納する。一対の
シンチング板５２ａおよび５２ｂは、ラチェットホイール５４から有効に係合または解放
される。また、一対のラチェットアーム５６ａおよび５６ｂは、ラチェットホイール５４
を解放可能に係合する。シンチング板、ラチェットアームおよびラチェットホイールは、
ノブ５０を受ける本体頂部５８で拘束される。スロット付き軸６０は、後により詳細に記
載されるように、関連するストラップの巻取り収容および送り出しのために使用される。
傘歯車セット６２はラチェットホイール５４によって駆動されて、回転のためにボルト５
５によってラチェットホイール５４と係合する第１の歯車６４ａと、軸の回転のために軸
６０と係合する第２の歯車６４ｂとを有する軸６０に取り付けられる。コイルばね６６は
、後により詳細に記載されるように、解放時にストラップを格納するために送り出す間、
軸６０の回転張力付与のために使用される。傘歯車セット６２は、軸６０と継手ボルト５
５を貫通するノブ５０の回転軸６１との向きが直交することを可能にする。本体底部６８
は、軸６０および関連するストラップのための収容キャビティ７０を提供する。
【００１２】
装具が最初に取り付けられるとき、ラチェットアーム５６ａ、５６ｂおよびシンチング
板５２ａ、５２ｂはラチェットホイール５４から離れており、関連するシンチングシステ
ム組立体３４、４０、４６の軸６０からストラップを引き抜くことが可能である。構成部
品がこの位置を実現する方法の詳細は、後で説明される。使用者は、各組立体のコイルば
ね６６の抵抗に反して、各シンチングシステム組立体３４、４０、および４６からストラ
ップを伸長する。次いでストラップ端部を、装具の反対側で、関連する急速解放組立体３
６、４２、または４８に挿入する（後に図８〜１１についてより詳細に記載される）。次
いでばね６６がストラップのいかなるたるみもなくす。この時点で、使用者は時計回りに
ノブ５０を回し、ストラップを所望の張力に締める。ノブ５０は、それぞれ、シンチング
板５２ａおよび５２ｂのスロット７４ａ、７４ｂへと下方に延在する２本のピン７２ａ、
７２ｂ（図３Ｂで最もよく分かる）を有する。シンチング板の初期位置が、図４Ａに示さ
れる。シンチング板はそれぞれ、ラチェットアーム５６ａ、５６ｂによって占められる本
体頂部５８の内部空間７８へと下方に延在するピン７６ａ、７６ｂを有する。この時点で
、シンチング板ピンは、ラチェットホイールから離れてラチェットアームを保持している
。ノブを右に回転させると、ノブピン７２ａ、７２ｂは、シンチング板５２ａ、５２ｂの
スロット７４ａ、７４ｂに沿って摺動して、板を内向きに移動させて、図４Ｂに示される
ように、ラチェットホイール５４を接触面８０ａ、８０ｂと係合させる。ノブ５０を時計
回りに回し続けると、ラチェットホイール５４が歯車セット６２を回し、ストラップをス
ロット付き軸６０のまわりに締め付ける。一方、シンチング板５２ａおよび５２ｂから下
方に延在するピン７６ａ、７６ｂはそれぞれ、ばねアーム８４ａ、８４ｂの接触面８２ａ
および８２から外れ、ラチェットアーム５６ａ、５６ｂがラチェットホイール５４に係合
することも可能にする。示される実施形態では、ばねアーム８４ａおよび８４ｂは、本体
頂部５８の表面９０から延在するリテーナ８８ａおよび８８ｂで受けられるピボットピン
８６ａ、８６ｂを含むラチェットアーム５６ａ、５６ｂと一体である。ノブ５０を回し続
けると、シンチング板５２ａ、５２ｂは、スロット７４ａ、７４ｂのピン７６ａおよび７
６ｂによって付勢されて回転し、ラチェットホイール５４を回転させ、歯車セット６２お
よびスロット付き軸６０を順番に回転させて、ストラップを締め付ける。この方向の回転
により、シンチング板ピンはばねアーム８４ａ、８４ｂを過ぎて摺動して、通過とともに
それらを屈曲させ、通過すると、より弛緩した位置に戻る。ばねアーム８４ａ、８４ｂは
ラチェットアーム５６ａ、５６ｂを付勢して、ラチェットホイール５４との接触を維持す
る。ノブ５０が解放されると、ラチェットアーム５６ａ、５６ｂは、ラチェットホイール
５４、歯車６２、およびスロット付き軸６０が反対の方向に回転することを防止し、した
がってストラップの張力が維持される。
【００１３】
装具を取り外すときは、急速解放ボタンを押し、後により詳細に記載されるように、ス
トラップを解放して、装具の取り外しを可能にする。ストラップを格納して、装具および
システムの再使用の準備をするために、ノブ５０を停止するまで約半回転、反時計回りに
回転させる。この回転により、ノブピン７２ａ、７２ｂは、シンチング板５２ａ、５２ｂ
のスロット７４ａ、７４ｂで、板をラチェットホイールから離す反対の方向に摺動した。
ピン７２ａ、７２ｂがスロット７４ａ、７４ｂの端部に当たると、板は回転を開始するで
あろう。半回転中、シンチング板ピン７６ａ、７６ｂは、各ラチェットアーム５６ａ、５
６ｂのばねアーム８４ａ、８４ｂの接触面８２ａ、８２ｂに当たるであろう。ノブ５０を
反時計回りに回し続けると、ピン７６ａ、７６ｂは、ばねアーム８４ａ、８４ｂの接触面
８２ａ、８２ｂまで乗り上げ、ラチェットアーム５６ａ、５６ｂをラチェットホイールか
ら引き離し、ストラップが取り出されている間は締められていたコイルばね６６が、スト
ラップを巻き取ることを可能にする。ここで装具は、最初に記載されたのと同じ状態にな
る。
【００１４】
図６および７は、収容キャビティ７０にスロット付き軸６０を収容する本体底部６８に
関するさらなる詳細を提供する。収容キャビティは、スロット付き軸６０に巻きつけられ
たときに格納される状態のストラップに、十分な容積を与える。中心に配置される歯車６
２およびコイルばね６６の間隙および動作を提供するために、ストラップは、図１Ａ、１
Ｂ、２Ａ、および２Ｂに示されるように、スロット付き軸の反対側の端部で係合される２
本の平行バンドを組み込む。図７で参照されるように、２つの出口スロット７１ａおよび
７１ｂは、ストラップバンドのために設けられる。
【００１５】
典型的な右手操作のための時計回りの締め付けシステムとして記載されているが、シン
チングシステム組立体３４、４０、および４６の要素は、左手操作のための反時計回りの
締め付けシステムとして作動するように、鏡像関係で形成されてもよい。
【００１６】
押しボタンによって解放されるシンチングシステム組立体の第２の実施形態が、図８お
よび９Ａ、９Ｂに示される。第１の記載された実施形態と同様に、軸６０が、ボルト５５
で駆動される傘歯車６４ａおよび６４ｂを有する歯車セット６２によって回転する。しか
し、ノブ５０の回転を歯車セット６２に転送するための係合要素は、ノブ５０内で係合さ
れるラチェットリング２０２を含む組立体であり、それはリテーナ２０６ａおよび２０６
ｂに取り付けられる爪２０４ａおよび２０４ｂによって拘束される。爪の方向により、ノ
ブ５０および関連するラチェットリング２０２の回転は一方向にのみ可能になる。外歯ス
プライン２１０を有する係合リング２０８は、ノブ５０の内部スプライン２１２によって
受けられる。係合リング２０２は、ボタン２１３を使用して、図９Ａに示される第１の位
置から図９Ｂに示される第２の位置まで垂直に押し下げられる。第１の位置において、係
合リング２０８上の内歯２１４は、ボルト５５によって歯車セット６２に連結される歯車
駆動リング２１８上の歯セット２１６に係合する。したがって、第１の位置において、ノ
ブ５０の回転により、軸６０を回転させる歯車セット６２が回転し、軸上のストラップ要
素（図２Ａ、２Ｂの３２、３８）を締め付ける。ラチェットリング２０２に係合する爪２
０４ａおよび２０４ｂは、ストラップ要素のゆるみを防止する。図９Ｂに示されるように
第２の位置に係合リング２０２を押し下げることにより、係合リング２０８上の内歯２１
４は駆動リング２１８上の歯セット２１６から解放され、駆動リングは自由に回転する。
係合リング２０８が押し下げられた第２の位置において、ストラップ要素は、軸６０から
引き出すことができる。
【００１７】
図９Ａおよび９Ｂに示されるように、係合リング２０８のより低い周囲を取り囲むスナ
ップシェルフ２２０は、本体頂部５８の表面９０から延在する弾性リテーナ２２２によっ
て第２の位置に係合され、係合リングを押し下げられた第２の位置に維持する。ノブ５０
の回転は、表面９０から延在するランプ２２４との動作可能な接触のために係合リング２
０８を回転させ、係合リングを上方へ付勢し、弾性リテーナ２２２からスナップシェルフ
２２０を切断し、駆動リング２１８上の歯セット２１６の、係合リング２０８上の内歯２
１４との動作可能な再係合のために、係合リング２０８を第１の位置に戻す。
【００１８】
代替的な係合要素リテーナによる押しボタンリリースを使用するシンチングシステムの
第３の実施形態が、図１０および１１に示される。第３の実施形態の要素および動作は、
上記の第２の実施形態と実質的に同一であるが、しかし、スナップシェルフ２１８は取り
除かれており、図１１において参照される、スプライン２１２の選択された歯全体に延在
する１つまたは複数のスナップ機能２２６が、係合リング２０８の外歯スプライン２１０
上の関連する歯を支持する。ボタン２１３によって係合リング２０８を弾性的に押し下げ
ることにより、スプライン２１０の関連する歯の通過のために、スナップ機能２２６を押
し下げられた第２の位置に移動させる。外歯スプライン２１０上のスナップ機能２２６の
摩擦係合は、ノブ５０の回転がランプ２２４を係合し、前述のとおり係合リング２０８を
付勢して第１の位置へ戻すまで、係合リングを押し下げられた第２の位置に保持する。
【００１９】
シンチングシステムの実施形態のそれぞれにおいて、締め付け方向へのノブ５０の回転
は、ストラップを締めるために、シンチングシステムのラチェット式要素を自動的に再係
合する。
【００２０】
図１Ａおよび１Ｂに対して記載される急速脱着組立体３６、４２、および４８が、図１
２〜１５に詳細に示される。図１２に示されるように、急速脱着組立体（一例として示さ
れる組立体４２）は、内側縦方向支持（一例として示される上部取付組立体１２内側縦方
向支持２０）に取り付けられる。案内フラップ９１を有する捕捉シュー９０は、ストラッ
プ先端９２を受けるために、内側支持２０に取り付けられる。先端９２の挿入される端部
９４は略半円形であり、シューの受入端部９６も半円形の輪郭を有する。示される実施形
態では、受入端部９６は、挿入される端部９４に係合する弾性の板ばね９７を組み込み、
後に記載されるように、解放時に先端９２の排出を支援する。弾性押圧可能な舌部９８は
、捕捉ブラケット１００で係合される先端の表面から延在する。捕捉ブラケットに弾性的
に取り付けられる解放ボタン１０２は、舌部９８を弾性的に変形させて、先端と平らにな
るように押し下げることができ、それを捕捉ブラケットから解放する。挿入時に先端９２
によって弾性的に係合される板ばね９７は、舌部９８を平らにすると、先端９２を捕捉シ
ュー９０から外に付勢する。示される実施形態では、ボタン１０２は、図１３に示される
ように、内側支持２０の嵌合穴１０４を貫通し、急速解放が内側支持の内表面に取り付け
られることを可能にする。図１４は、捕捉ブラケット１００から舌部を解放するための、
ボタンおよび舌部の係合を示す急速脱着組立体の部分切取図を示す。
【００２１】
先端９２の挿入される端部９４および捕捉シュー９０の受入端部９６の半円形輪郭は、
先端９２から延在するネック１１０と捕捉シューの挿入スロットの壁１１２とが接触する
前に、先端９２が名目上の挿入軸１０８のまわりの角度１０６で、捕捉シューにおいて旋
回する機能を提供し、それによって、関連するストラップ（図１４に示される例の場合３
８）が、たわむまたは軟かい肌に食い込むことなく、脚の後部のまわりで自然な角度をと
ることを可能にする。
【００２２】
図１４に示されるように、ネック１１０はフランジ付き取付部１１４で終わり、ストラ
ップ３８は縫合または同様の手段によってフランジ付き取付部１１４に固定される。ある
いは、ネック１１０は、図１５に示されるようなＤ−リング１１６で終わってもよく、ス
トラップはＤ−リング１１６を通して挿入されて、折り返され、面ファスナーまたは同様
の手段でそれ自体に連結される。
【００２３】
図１に戻ると、代替的なストラップ張力付与システムが、下部取付組立体１４の上部ス
トラップ１２０に設けられる。このストラップ１２０は、側方支持上で始まり脚の後方を
通った後に内側支持上で終わるのとは反対にふくらはぎを取り囲むという点で、装具上の
他のストラップと異なる。図１６〜２１Ｂに示されるように、単一点張力付与組立体１２
２には、ラチェット式張力付与および単一点取付および解放システムが設けられる。スト
ラップ１２０は（図１で最もよく分かるように）単一点張力付与組立体１２２から伸長し
、ふくらはぎの後部を横断して、下部取付組立体１４の内側支持２２上のガイド１２４を
貫通する。次いでストラップ１２０は、膝の直下でふくらはぎの前を通り、単一点張力付
与システム１２２に取り付けられる。図１６、１７、および１８に示されるように、スト
ラップ１２０（破線で示される）は、単一点張力付与組立体１２２上の連結チャネル１２
８（連結チャネルの前面は残りの要素の明瞭さのために示されていない）で受けられるブ
ルノーズ１２６で終わる。ノブ１３０は、後により詳細に記載されるように、ストラップ
に張力をかけるために回される。歯車組立体１３２は、ノブ１３０から延在するスピンド
ル１３６上の駆動ギヤ１３４ａを使用してばね付勢スプール１３８に取り付けられる傘歯
車１３４ｂを駆動し、ストラップ１２０を格納または伸長する。浮動アーム１４０を有す
る単一点解放は、単一点張力付与システム１２２と一体化される。図１５に詳細に示され
る浮動アーム１４０は、ブルノーズ１２６の係合スロット１４４で受けられるロック歯１
４２を含み、連結チャネル１２８でブルノーズを拘束する（図１６および１８で最もよく
分かる）。解放ボタン１４６は、後に記載されるように、単一点解放動作およびストラッ
プ引込みのために浮動アームから延在する。ラチェット解放フープ１４８は、後により詳
細に記載されるように、浮動アームに堅固に取り付けられ、張力付与ラチェットを解放す
る。
【００２４】
単一点張力付与組立体１２２の動作は、図２０Ａ〜２０Ｃおよび２１Ａ、２１Ｂに関し
て、最もよく理解される。図２０Ａに示されるように、初期状態において、後により詳細
に記載されるように、ラチェット解放フープ１４８（図２０Ｃに示されるが、明瞭にする
ために図２０Ａには示されない）が駆動ギヤ１３４ａ後方のスピンドルに取り付けられる
ラチェットホイール１５２から、スピンドル１３６の軸に沿ってばね付勢されるラチェッ
トストップ１５０を解放する第１の位置で、浮動アーム１４０は保持される。この状態に
おいて、ばね付勢されたスプール１３８は、ストラップ１２０を格納するように、または
、そのばねに対抗してスプールを巻くストラップの伸長を可能にするように張力をかけら
れている。使用者はスプール１３８からのストラップを、ふくらはぎの後部のまわりで内
側支持２２上のガイド１２４を通して延ばし、ブルノーズ１２６を連結チャネル１２８に
挿入する。ブルノーズの連結チャネルへの挿入の前、中心ピボットレバー１５４はロック
位置で休止し、図２１Ａに示されるように、ばね１５６によって付勢され、第１の位置に
浮動アーム１４０を拘束する。図２１Ｂに示されるように、ブルノーズ１２６の連結チャ
ネル１２８への挿入時、ブルノーズは係合して、ばね１５６を圧縮する第２の位置に中心
ピボットレバー１５４を旋回させ、連結チャネルにブルノーズを拘束するためにブルノー
ズのスロット１４４に歯１４２を係合する第２の位置にばね１５８によって付勢される浮
動アーム１４０を解放し、ラチェット解放フープ１４８の位置を動かしてラチェットスト
ップ１５０を解放し、図２０Ｂに示されるように、それがラチェットホイール１５２に係
合することを可能にする。この構成において、ノブ１３０を時計回りに回転させて、歯車
組立体１３２を通してスプール１３８を回転させ、必要に応じてストラップ１２０に張力
をかけることができる。ばね１５１によってスピンドルに沿って軸方向に付勢されるラチ
ェットストップ１５０は、ラチェットホイール１５２を係合し、張力を維持する。
【００２５】
装具を取り外すために、解放ボタン１４６を押し下げることによってストラップ１２０
を解放し、同時に、ばね１５８に対抗して浮動アームを押し下げることによって第１の位
置に戻り、連結されたロック歯１４２をスロット１４４から引き抜くことによって、ブル
ノーズ１２６を連結チャネル１２８から切り離し、解放ループ１４８によってラチェット
ストップ１５０を解放する。ブルノーズの取り外しによって解放される中心ピボットレバ
ー１５４は、ラチェットホイール１５２、歯車組立体１３２、およびスプール１３８が自
由に回転する第１の位置に浮動アーム１４０を拘束するロック位置にばね１５６によって
付勢され、ストラップ１２０を格納する。
【００２６】
典型的な右手操作のための時計回りの締付けシステムとして記載されているが、単一点
張力付与組立体１２２の要素は、左手操作のための反時計回りの締付けシステムで作動す
るように、鏡像関係で形成されてもよい。
【００２７】
膝装具の実施形態における単一組立体として本明細書に記載されるが、シンチングシス
テム組立体およびそれらの関連するストラップを有する単一点張力付与組立体は、ストラ
ップ張力付与のためにさまざまな整形装具またはその他の装置で別々に使用されてもよい
。
【００２８】
膝装具はさらに、膝を曲げる間に拘束することなく、膝装具１０上での側面ヒンジ２４
および２６の非平行な並びを可能にする側方屈曲機能を組み込む。ヒンジ要素１６０は、
図２Ａおよび２Ｂで参照され、図２２、２３Ａ、および２３Ｂで詳細に示される前弓支持
２８に一体である。ヒンジ要素１６０は、実質的に前弓支持および内側支持２０の交点で
、前弓支持２８に配置される。ヒンジ要素１６０の軸１６２は、内側ヒンジ２６の回転軸
に略垂直であり、膝が通常の非屈曲姿勢である場合の脚、内側支持２０、および下部内側
支持２２の中立軸１６４に略平行である。ヒンジ要素１６０は十分な可撓性を有し、脚お
よび装具が非屈曲である中立位置から屈曲位置まで最大６°の内側支持２０の中央内側へ
の角度オフセットを可能にする。この特徴により内側ヒンジ２６は、拘束することなく作
動することが可能になり、内側および側方ヒンジの回転軸を一直線に並べることを必要と
しない。ヒンジ要素１６０は、前弓支持２８に係合する取付部分１６８より柔軟な材料の
厚さがより小さい部分１６６を有する、図２２に示されるリビングヒンジでもよい。ある
いは、ピアノヒンジなどの従来のヒンジ、または、所望のヒンジ要素位置の前弓支持２８
の材料の成形シンニングが使用されてもよい。
【００２９】
以上、本開示の各種の実施形態を特許法の要求にしたがって詳しく説明したが、当業者
であれば、本出願で開示した具体的な実施形態に対する改良形態および置換形態を想起す
るであろう。このような改良形態も、以下の特許請求の範囲で定義される本開示の範囲お
よび趣旨の範囲内にある。
＜付記＞
【００３０】
整形装具はさまざまな外形寸法のものが存在するが、各装具は通常、さまざまな解剖学的寸法の使用者に適合させるための調節可能なストラップを必要とする。一例として膝装具については、一般的な寸法を有する装具の使用者のために、大腿およびふくらはぎの周囲の長さを脚の長さに基づいて大きく変えることができる。大部分の用途に関して、使用者は装具を簡単に装着して、さまざまなストラップを適切な寸法および張力に迅速に調節することを好む。ストラップが適切な張力を有することは、装具の適切な動作のために重要である場合がある。装具を必要とする活動が完了したときに、装具を迅速かつ容易に取り外す機能も同様に重要である。
【００３１】
したがって、他の観点では、解剖学的単位を取り囲む固定ストラップのための、調節可能な張力を迅速かつ容易に付与および解放することができる整形装具の固定システムを提供することが望ましい。
【００３２】
本明細書に開示される実施形態は、第１の方向および第２の方向に回転可能なノブを有する少なくとも１つのシンチングシステム組立体を組み込む整形装具に、取付システムを第１の特徴として提供する。少なくとも１つのシンチング板は、第１の向きへの第１の方向の回転、および第２の方向への回転時の第２の向きへの移行のために、ノブで係合される。ラチェットホイールは、第１の方向への回転のために、シンチング板によって第１の向きに係合される。少なくとも１つのラチェットアームは、ラチェット式動作のためにラチェットホイールに係合し、かつ、ラチェットアームからの解放のためにシンチング板によって第２の向きに係合される。軸はラチェットホイールの回転に応じて回転し、およびストラップは軸の回転時に、軸から伸長可能かつ軸に格納可能である。
【００３３】
また、本明細書の実施形態は、ラチェットが取り付けられたスピンドルを有するノブを組み込む整形装具に、張力付与組立体を特徴として提供する。スプールは、スピンドルによる回転のために係合される。浮動アームは、第１の位置および第２の位置を有する。浮動アームは、第２の位置の連結チャネルに延在可能な係止歯と、第２の位置でのラチェットの係合のためのラチェットロックを位置決めするラチェット解放ループと、第２の位置から第１の位置に浮動アームを移動させるための解放ボタンとを含む。ストラップは、連結チャネルで取り外し可能に受けることができるブルノーズを有する。ブルノーズは、係止歯を受けるためのスロットを有し、かつ、連結チャネルへの挿入時に第１の位置から前記第２の位置に浮動アームを解放する。ストラップは、スプールから伸長可能かつスプールに格納可能である。
【図１】
2019058796.tif 000003
【図２Ａ】
2019058796.tif 000004
【図２Ｂ】
2019058796.tif 000005
【図３Ａ】
2019058796.tif 000006
【図３Ｂ】
2019058796.tif 000007
【図３Ｃ】
2019058796.tif 000008
【図４Ａ】
2019058796.tif 000009
【図４Ｂ】
2019058796.tif 000010
【図５Ａ】
2019058796.tif 000011
【図５Ｂ】
2019058796.tif 000012
【図６】
2019058796.tif 000013
【図７】
2019058796.tif 000014
【図８】
2019058796.tif 000015
【図９Ａ】
2019058796.tif 000016
【図９Ｂ】
2019058796.tif 000017
【図１０】
2019058796.tif 000018
【図１１】
2019058796.tif 000019
【図１２】
2019058796.tif 000020
【図１３】
2019058796.tif 000021
【図１４】
2019058796.tif 000022
【図１５】
2019058796.tif 000023
【図１６】
2019058796.tif 000024
【図１７】
2019058796.tif 000025
【図１８】
2019058796.tif 000026
【図１９】
2019058796.tif 000027
【図２０Ａ】
2019058796.tif 000028
【図２０Ｂ】
2019058796.tif 000029
【図２０Ｃ】
2019058796.tif 000030
【図２１Ａ】
2019058796.tif 000031
【図２１Ｂ】
2019058796.tif 000032
【図２２】
2019058796.tif 000033
【図２３Ａ】
2019058796.tif 000034
【図２３Ｂ】
2019058796.tif 000035